(57)【要約】  本発明は、周壁にガス排出口を有したハウジングと、  前記ハウジング内に配置された筒状フィルタと、  前記ハウジング底板の筒状壁部に嵌め込まれたカップ形状の点火手段室ハウジング内に形成され、点火手段が収容されている点火手段室と、  前記筒状フィルタと点火手段室ハウジングで挟まれた、ガス発生剤が充填されている燃焼室を有し、  前記点火手段室ハウジングが、開口部側にフランジ部を有しており、前記フランジ部が前記底板に当接されて前記筒状壁部に嵌め込まれ、  さらに前記筒状フィルタと前記点火手段室ハウジングの間に配置された環状リテーナが、環状ベース部と、前記環状ベース部の外周縁から前記天板に延ばされた環状壁部を有しており、  前記環状壁部が前記筒状フィルタの内周面に当接され、前記環状ベース部が前記ハウジング底板に当接され、さらに前記カップ形状の点火手段室ハウジングのフランジ部と厚さ方向に重ねられていない、ガス発生器である。
2017130735.tif 000002
【特許請求の範囲】
【請求項１】
天板、底板および前記天板と前記底板の間の周壁を有しており、前記底板が、前記底板の一部が開口され、前記開口部から前記天板方向に延ばされた筒状壁部を有しており、前記周壁がガス排出口を有しているハウジングと、
前記ハウジング内において、
前記ハウジング周壁のガス排出口と間隔をおいて配置され、上端面側が前記天板に当接され、下端面側が前記底板に当接されている筒状フィルタと、
前記ハウジング底板の筒状壁部に外側から嵌め込まれたカップ形状の点火手段室ハウジング内に形成され、点火器を含む点火手段が収容されている点火手段室と、
前記筒状フィルタと前記カップ形状の点火手段室ハウジングにより半径方向両側から挟まれた、ガス発生剤が充填されている燃焼室を有しているガス発生器であって、
前記カップ形状の点火手段室ハウジングが、開口部側にフランジ部を有しており、前記フランジ部が前記底板に当接されるまで前記ハウジング底板の筒状壁部に外側から嵌め込まれているものであり、
さらに前記筒状フィルタと前記カップ形状の点火手段室ハウジングの間に配置された環状リテーナを有しており、
前記環状リテーナが、環状ベース部と、前記環状ベース部の外周縁から前記天板に延ばされた環状壁部を有しているものであり、
前記環状リテーナが、前記環状壁部が前記筒状フィルタの内周面に当接され、前記環状ベース部が前記ハウジング底板に当接されており、前記環状ベース部が、前記カップ形状の点火手段室ハウジングのフランジ部と厚さ方向に重ねられていない、ガス発生器。
【請求項２】
前記環状リテーナの環状ベース部と前記点火手段室ハウジングのフランジ部の間の環状境界部分を覆う位置に環状プレートが配置されている、請求項１記載のガス発生器。
【請求項３】
前記ハウジング底板が、前記筒状フィルタの内周面から前記筒状壁部の間において、前記筒状フィルタの内周面側に環状凹部を有しており、前記筒状壁部側に前記環状凹部との高低差からなる環状凸部を有しているものであり、
前記環状凹部内に前記環状リテーナの環状ベース部と前記環状壁部と前記環状ベース部の境界部分が嵌め込まれており、前記環状凸部上にカップ形状の点火手段室ハウジングのフランジ部が当接されていることで、前記環状ベース部が、前記カップ形状の点火手段室ハウジングのフランジ部と厚さ方向に重ねられていない、請求項１記載のガス発生器。
【請求項４】
前記ハウジング底板が、前記筒状フィルタから半径方向内側の位置に環状凸部を有しており、
前記環状リテーナが、前記環状壁部が前記筒状フィルタの内周面に当接され、前記環状ベース部が前記ハウジング底板に当接され、前記環状ベース部の内周縁部が前記環状凸部に当接されており、
前記カップ形状の点火手段室ハウジングのフランジ部が前記環状凸部から半径方向内側に位置していることで、前記環状ベース部が、前記カップ形状の点火手段室ハウジングのフランジ部と厚さ方向に重ねられていないものである、請求項１記載のガス発生器。
【請求項５】
前記環状リテーナが、環状ベース部の長さＷ１と環状壁部の高さＨ１がＷ１＞Ｈ１の関係を有しており、
前記ハウジング底板の筒状壁部の外周面から前記筒状フィルタの内周面までの長さＷと前記Ｗ１が、Ｗ１／Ｗ＝０．１〜０．７の関係を有しているものである、請求項１〜４のいずれか１項に記載のガス発生器。
【請求項６】
天板、底板、および前記天板と前記底板の間の周壁を有しており、前記底板が、前記底板の一部が開口され、前記開口部から前記天板方向に延ばされた筒状壁部を有しており、前記周壁がガス排出口を有しているハウジングと、
前記ハウジング内において、
前記ハウジング周壁のガス排出口と間隔をおいて配置され、上端面側が前記天板に当接され、下端面側が前記底板に当接されている筒状フィルタと、
前記ハウジング底板の筒状壁部に外側から嵌め込まれたカップ形状の点火手段室ハウジング内に形成され、点火器を含む点火手段が収容されている点火手段室と、
前記筒状フィルタと前記点火手段室ハウジングにより半径方向両側から挟まれた、ガス発生剤が充填されている燃焼室を有しているガス発生器であって、
前記カップ形状の点火手段室ハウジングが、開口部側にフランジ部を有しており、前記フランジ部が前記底板に当接されるまで前記ハウジング底板の筒状壁部に外側から嵌め込まれているものであり、
さらに前記筒状フィルタと前記カップ形状の点火手段室ハウジングの間に配置された環状リテーナを有しており、
前記環状リテーナが、環状ベース部と、前記環状ベース部の外周縁から前記天板に延ばされた環状壁部を有しているものであり、
前記環状リテーナが、前記環状壁部が前記筒状フィルタの内周面に当接され、前記環状ベース部が前記ハウジング底板に当接されており、
前記環状ベース部と前記カップ形状の点火手段室ハウジングのフランジ部が、前記環状ベース部が前記底板側になり、前記フランジ部が前記天板側になるように重ねられている、ガス発生器。
【請求項７】
前記環状リテーナが、環状ベース部の長さＷ１と環状壁部の高さＨ１がＷ１＞Ｈ１の関係を有しており、
前記ハウジング底板の筒状壁部の外周面から前記筒状フィルタの内周面までの長さＷと前記Ｗ１が、Ｗ１／Ｗ＝０．１〜０．７の関係を有しているものである、請求項６記載のガス発生器。
【発明の詳細な説明】
【技術分野】
【０００１】
本発明は、自動車などに搭載するエアバッグ装置などのガスを利用する各種目的に使用できるガス発生器に関する。【０００２】
背景技術
ＪＰ−Ａ  Ｎｏ．２０１４−４６７０４には、エアバッグ装置用のガス発生器の発明が記載されている。
図１のガス発生器１Ａは、燃焼室６０内において、伝火薬５６を収容したカップ状部材５０と第１宛がい部材７０が配置されている。
図７には、カップ状部材５０の第１延設部５３の先端部５４上に第１宛がい部材７０の第２延設部７１が配置されることになり、当該第１延設部５３の先端部５４が、ハウジングの軸方向に沿って第２延設部７１と底板部１１とによって挟まれた状態となっていることが記載されている。（段落番号９２）
図８には、先端曲成部７４は、底板部１１の突状筒部１３の軸方向端部近傍の位置にまで達しており、当該部分においても、カップ状部材５０の第１延設部５３が、ハウジングの軸方向に沿って底板部１１と第２延設部７１とによって挟まれた状態となっていることが記載されている。（段落番号１１２）【０００３】
本発明の開示
本発明の第１の態様（以下「第１の態様」という）は、天板、底板および前記天板と前記底板の間の周壁を有しており、前記底板が、前記底板の一部が開口され、前記開口部から前記天板方向に延ばされた筒状壁部を有しており、前記周壁がガス排出口を有しているハウジングと、
前記ハウジング内において、
前記ハウジング周壁のガス排出口と間隔をおいて配置され、上端面側が前記天板に当接され、下端面側が前記底板に当接されている筒状フィルタと、
前記ハウジング底板の筒状壁部に外側から嵌め込まれたカップ形状の点火手段室ハウジング内に形成され、点火器を含む点火手段が収容されている点火手段室と、
前記筒状フィルタと前記カップ形状の点火手段室ハウジングにより半径方向両側から挟まれた、ガス発生剤が充填されている燃焼室を有しているガス発生器であって、
前記カップ形状の点火手段室ハウジングが、開口部側にフランジ部を有しており、前記フランジ部が前記底板に当接されるまで前記ハウジング底板の筒状壁部に外側から嵌め込まれているものであり、
さらに前記筒状フィルタと前記カップ形状の点火手段室ハウジングの間に配置された環状リテーナを有しており、
前記環状リテーナが、環状ベース部と、前記環状ベース部の外周縁から前記天板に延ばされた環状壁部を有しているものであり、
前記環状リテーナが、前記環状壁部が前記筒状フィルタの内周面に当接され、前記環状ベース部が前記ハウジング底板に当接されており、前記環状ベース部が、前記カップ形状の点火手段室ハウジングのフランジ部と厚さ方向に重ねられていない、ガス発生器を提供する。【０００４】
本発明の第２の態様（以下「第２の態様」という）は、天板、底板、および前記天板と前記底板の間の周壁を有しており、前記底板が、前記底板の一部が開口され、前記開口部から前記天板方向に延ばされた筒状壁部を有しており、前記周壁がガス排出口を有しているハウジングと、
前記ハウジング内において、
前記ハウジング周壁のガス排出口と間隔をおいて配置され、上端面側が前記天板に当接され、下端面側が前記底板に当接されている筒状フィルタと、
前記ハウジング底板の筒状壁部に外側から嵌め込まれたカップ形状の点火手段室ハウジング内に形成され、点火器を含む点火手段が収容されている点火手段室と、
前記筒状フィルタと前記カップ形状の点火手段室ハウジングにより半径方向両側から挟まれた、ガス発生剤が充填されている燃焼室を有しているガス発生器であって、
前記カップ形状の点火手段室ハウジングが、開口部側にフランジ部を有しており、前記フランジ部が前記底板に当接されるまで前記ハウジング底板の筒状壁部に外側から嵌め込まれているものであり、
さらに前記筒状フィルタと前記カップ形状の点火手段室ハウジングの間に配置された環状リテーナを有しており、
前記環状リテーナが、環状ベース部と、前記環状ベース部の外周縁から前記天板に延ばされた環状壁部を有しているものであり、
前記環状リテーナが、前記環状壁部が前記筒状フィルタの内周面に当接され、前記環状ベース部が前記ハウジング底板に当接されており、
前記環状ベース部と前記カップ形状の点火手段室ハウジングのフランジ部が、前記環状ベース部が前記底板側になり、前記フランジ部が前記天板側になるように重ねられている、ガス発生器を提供する。
【図面の簡単な説明】
【０００５】
本発明は、以下の詳細な説明と添付された図面により、さらに完全に理解されるものであるが、これらはただ説明のため付されるものであり、本発明を制限するものではない。【０００６】
【図１】図１は、（ａ）において本発明のガス発生器の軸Ｘ方向の断面図、（ｂ）において（ａ）の環状リテーナの断面図である。
【図２】図２は、図１のガス発生器の作動時の状態を示す部分断面図である。
【図３】図３は、（ａ）において図１と別実施形態であるガス発生器の部分断面図、（ｂ）において（ａ）の作動時の状態を示す図である。
【図４】図４は、図１とさらに別実施形態であるガス発生器の部分断面図である。
【図５】図５は、図１、図３、図４と別実施形態であるガス発生器の部分断面図である。
【図６】図６は、図１、図３、図４、図５と別実施形態であるガス発生器の軸Ｘ方向断面図である。
【０００７】
本発明の詳細な説明
ＪＰ−Ａ  Ｎｏ．２０１４−４６７０４の図７、図８に示すガス発生器では、作動したときにカップ状部材５０内部での圧力が上昇すると、その圧力でカップ状部材５０が変形や破壊をするが、その後、ガス発生剤が燃焼したときに外殻ハウジングも軸方向上下に変形しやすくなる。
図７および図８では、カップ状部材５０の先端部５４が第１宛がい部材７０の第２延設部７１よりも底板部１１側にあるため、カップ状部材５０内部で発生した圧力で先端部５４が変形して第１宛がい部材７０が持ち上げられると、フィルタ９０と第２延設部７１との間に隙間が形成されやすくなる。
そのように形成された隙間を燃焼生成物が通過すると、フィルタ９０を通過せずに燃焼ガスが排出されるショートパスが生じることになる。【０００８】
本発明は、作動時にガス発生剤が燃焼したことによる圧力によってハウジングが変形した場合でも、ショートパスが生じることがないガス発生器を提供する。【０００９】
ハウジングは、天板、底板および前記天板と前記底板の間の周壁を有しており、周壁は複数のガス排出口を有している。
ハウジングは、鉄、ステンレスなどの金属からなるものである。
ハウジングの底板は、前記底板の一部が開口され、前記開口部から前記天板方向に延ばされた筒状壁部を有している。前記開口部は、前記底板の中心を含んでいることが好ましいが、中心から外れた位置にあってもよい。
筒状壁部は、前記天板側の開口部において半径方向内側に突き出された環状面部を有しているものも使用することができる。
ハウジングは、天板と上部周壁部を有し、前記上部周壁部にガス排出口を有しているディフューザシェルと、底板と下部周壁部を有し、前記筒状壁部を有しているクロージャシェルの組み合わせを使用することができる。
ハウジングは、前記上部周壁部と前記下部周壁部の接触部分が溶接などの公知の方法で固定されることで形成される。【００１０】
点火手段室ハウジングは、ハウジングと同様の金属製のカップ形状のものであり、周面部には、作動時に開裂する脆弱部、貫通孔がシールテープなどで閉塞されたものなどを有している。
点火手段室内の点火手段は、点火器と公知の伝火薬または伝火薬として機能するガス発生剤を含むものが好ましい。
点火器は、前記筒状壁部に対して樹脂を介して固定されていることが好ましい。【００１１】
点火手段室ハウジングはカップ形状であることから、底面部と周面部を有し、底面部の反対端部が開口されたものであり、開口部側には半径方向外側に延びたフランジ部を有している。
点火手段室ハウジングは、フランジ部がハウジング底板に当接されるまでハウジング底板の筒状壁部に外側から嵌め込まれている。
点火手段室ハウジングは、作動したときに軸方向に移動してもよいが、筒状壁部から外れないようにすることが必要であり、嵌め込み方法として圧入方法などを使用することができるが、溶接は使用しない。
点火手段室ハウジングの底面部はハウジングの天板に単に当接していてもよいし、天板から間隔を置くように配置されていてもよい。間隔をあけて配置する場合は、その間隔が少なくともハウジングの底板の筒状壁部の長さよりも短くなるようにする。
点火手段室ハウジングの開口部とフランジ部の境界部分の形状は、ハウジング底板と筒状壁部の境界部分の形状と一致していると、隙間なく嵌め込むことができるため好ましい。【００１２】
燃焼室内のガス発生剤は公知のものであり、円柱形状、ディスク形状などの所望形状のものである。【００１３】
環状リテーナは、環状ベース部と、前記環状ベース部の外周縁から天板に延ばされた環状壁部を有している。
環状リテーナは、環状壁部が筒状フィルタの内周面に当接され、環状ベース部がハウジング底板に当接されている。
環状壁部と環状ベース部の境界部分が、筒状フィルタの下端面とハウジング底板の当接部分に面している。
環状リテーナの環状ベース部と点火手段室ハウジングのフランジ部は、前記環状ベース部の内周縁部と前記フランジ部の外周縁が互いに接触していないか、または少なくとも一部で互いに接触していてもよいが、厚さ方向には重ねられていない。【００１４】
ガス発生器の作動時、まず点火手段室内の圧力が上昇するので、点火手段ハウジングが天板に向かって移動しようとする。次に燃焼室内のガス発生剤の燃焼に伴う内圧の上昇によって、ハウジング天板とハウジング底板は外側に向かってそれぞれ反対方向に変形する。このとき、底板は下方向に変形する。
このため、点火手段室ハウジングのフランジ部が環状リテーナの環状ベース部の下側（底板側）にあると、点火手段が作動したときにフランジ部により環状ベース部が持ち上げられるような状態になる。さらに底板が変形するとハウジング底板と筒状フィルタの下端面の境界部分と環状リテーナの間で隙間が生じてしまい、ショートパスが起こるおそれもある。
本発明のガス発生器では、環状リテーナの環状ベース部と点火手段室ハウジングのフランジ部は、厚さ方向には重ねられていないため、上記した変形が生じたときでも、前記フランジ部が前記環状ベース部を持ち上げることがないため、ハウジング底板と筒状フィルタの下端面の境界部分に対して環状リテーナが当接された状態が維持されている。
このため、燃焼ガスは筒状フィルタを経由してガス排出口から排出されるようになり、燃焼ガスが筒状フィルタを経由しないで排出されるショートパスが起こることはない。
なお、カップ形状の点火手段室ハウジングの底面部が天板に当接するまで移動した長さ以上に、筒状壁部の長さを長くする。このようにすることで、作動による点火手段室内の圧力上昇時に点火手段ハウジングが天板に向かって移動しようとしたときでも、点火手段室ハウジングが筒状壁部から完全に外れない構造となる。またフランジ部は、燃焼室での圧力を受ける受圧面として機能し、カップ形状の点火手段室ハウジングを底板へ押し下げる機能がある。そのためフランジ部は、ハウジング底板に沿った方向（ハウジング中心軸に対しての放射方向）に延びる部分を有するようにする。この部分の長さは筒状フィルタの内周面とカップ形状の点火手段室ハウジングの周面部の距離の1/3から4/5の長さにすることが出来る。【００１５】
第１の態様のガス発生器は、前記ハウジング底板が、前記筒状フィルタの内周面から前記筒状壁部の間において、前記筒状フィルタの内周面側は環状凹部を有しており、前記筒状壁部側は前記環状凹部との高低差からなる環状凸部を有しているものであり、
前記環状凹部内に前記環状リテーナの環状ベース部と前記環状壁部と前記環状ベース部の境界部分が嵌め込まれており、前記環状凸部上にカップ形状の点火手段室ハウジングのフランジ部が当接されていることで、前記環状ベース部が、前記カップ形状の点火手段室ハウジングのフランジ部と厚さ方向に重ねられていないものが好ましい。【００１６】
前記環状ベース部と点火手段室ハウジングのフランジ部が、高さの異なる環状凹部と環状凸部に位置しているため、前記環状ベース部の内周縁部と前記点火手段室ハウジングのフランジ部は厚さ方向に重ねられることがない。【００１７】
第１の態様のガス発生器は、前記ハウジング底板が、前記筒状フィルタから半径方向内側の位置に環状凸部を有しており、
前記環状リテーナが、前記環状壁部が前記筒状フィルタの内周面に当接され、前記環状ベース部が前記ハウジング底板に当接され、前記環状ベース部の内周縁部が前記環状凸部に当接されており、
前記カップ形状の点火手段室ハウジングのフランジ部が前記環状凸部から半径方向内側に位置していることで、前記環状ベース部が、前記カップ形状の点火手段室ハウジングのフランジ部と厚さ方向に重ねられていないものであることが好ましい。【００１８】
ハウジング底板が有している環状凸部によって、前記環状ベース部の内周縁部と前記点火手段室ハウジングのフランジ部は厚さ方向に重ねられることがない。【００１９】
第１の態様のガス発生器は、前記環状リテーナが、環状ベース部の長さＷ１と環状壁部の高さＨ１がＷ１＞Ｈ１の関係を有しており、
前記ハウジング底板の筒状壁部の外周面から前記筒状フィルタの内周面までの長さＷと前記Ｗ１が、Ｗ１／Ｗ＝０．１〜０．７の関係を有しているものであることが好ましい。【００２０】
このような形状および寸法比の環状リテーナを使用すると、作動時における圧力を受けて底板が変形した場合でも、底板と同様に圧力を受けることで、底板の変形に追随して環状ベース部が変形しやすくなるため、ハウジング底板と筒状フィルタの下端面の境界部分に対して環状リテーナが当接された状態が維持されている。
このため、燃焼ガスは筒状フィルタを経由してガス排出口から排出されるようになるため、燃焼ガスが筒状フィルタを経由しないで排出されるショートパスが防止される。【００２１】
第１の態様のガス発生器は、前記環状リテーナの環状ベース部と前記点火手段室ハウジングのフランジ部の間の環状境界部分を覆う位置に環状プレートが配置されており、
前記環状プレートの外周部が前記環状リテーナの環状壁部に当接されているか、または前記環状プレートの内周部が前記点火手段室ハウジングの周壁面とフランジ部の境界部分に当接されていることが好ましい。【００２２】
このような環状プレートを使用すると、前記環状ベース部の内周縁部と前記点火手段室ハウジングのフランジ部との間の環状境界部分に隙間ができたときに、その隙間（環状の隙間）をカバーしてガス発生剤が入り込むことを防ぐ（燃焼室の底面を平らにする）。また作動前の環状リテーナの環状ベース部と点火手段ハウジングのフランジ部を押さえる固定の機能を果たす。【００２３】
第２の態様のガス発生器は、前記環状ベース部と前記カップ形状の点火手段室ハウジングのフランジ部が、前記環状ベース部が前記底板側になり、前記フランジ部が前記天板側になるように重ねられている、という構成要件が第１の態様のガス発生器と異なっているものである。
よって、作動時において底板は下方向に変形しても、フランジ部により環状ベース部が持ち上げられるような事態が生じることは全くなく、ショートパスが生じることもない。第2の態様のガス発生器においても第1の態様のガス発生器と同様に、カップ形状の点火手段室ハウジングの底面部が天板に当接するまで移動した長さ以上に、筒状壁部の長さを長くすることが出来る。またフランジ部は、燃焼室での圧力を受ける受圧面として機能し、カップ形状の点火手段室ハウジングを底板へ押し下げる機能がある。そのためフランジ部は、ハウジング底板に沿った方向（ハウジング中心軸に対しての放射方向）に延びる部分を有するようにする。この部分の長さは筒状フィルタの内周面とカップ形状の点火手段室ハウジングの周面部の距離の1/3から4/5の長さにすることが出来る。【００２４】
第２の態様のガス発生器は、前記環状リテーナが、環状ベース部の長さＷ１と環状壁部の高さＨ１がＷ１＞Ｈ１の関係を有しており、
前記ハウジング底板の筒状壁部の外周面から前記筒状フィルタの内周面までの長さＷと前記Ｗ１が、Ｗ１／Ｗ＝０．１〜０．７の関係を有しているものであることが好ましい。【００２５】
このような形状および寸法比の環状リテーナを使用すると、作動時における圧力を受けて底板が変形した場合でも、底板と同様に圧力を受けることで、底板の変形に追随して環状ベース部が変形しやすくなるため、ハウジング底板と筒状フィルタの下端面の境界部分に対して環状リテーナが当接された状態が維持されている。
このため、燃焼ガスは筒状フィルタを経由してガス排出口から排出されるようになるため、燃焼ガスが筒状フィルタを経由しないで排出されるショートパスが防止される。【００２６】
本発明のガス発生器は、自動車のエアバッグ装置で使用するガス発生器として使用することができるほか、瞬間的にガスを供給することが求められる用途にも使用することができる。【００２７】
本発明のガス発生器は、作動時における筒状フィルタの下端面とハウジング底板の間から燃焼ガスがショートパスすることが防止されている。【００２８】
発明の実施の形態
（１）図１のガス発生器
ガス発生器１は、外殻容器となるハウジング１０を有している。
ハウジング１０は、天板１２と天板１２から一方向側に垂設された上部周壁部１３からなり、開口部にフランジ部１４を有しているディフューザシェル１１と、底板２２と底板２２から一方向側に垂設された下部周壁部２３からなるクロージャシェル２１の組み合わせからなるものである。
ディフューザシェル１１とクロージャシェル２１は、ディフューザシェル１１の上部周壁部１３の開口部側の内周面とクロージャシェル２１の下部周壁部２３の外周面との接触部分２４において溶接一体化されている。【００２９】
ディフューザシェル１１は、上部周壁部１３において周方向に均等間隔をおいて形成された複数のガス排出口１５を有している。
複数のガス排出口１５は、アルミニウム製などの粘着テープ１６で内側から閉塞されている。【００３０】
クロージャシェル２１の底板２２は、中心部分が開口され、開口部２５から前記天板１２方向に延ばされた筒状壁部２６を有している。
筒状壁部２６は、開口部２５から天板１２方向に延ばされた筒状部２６ａと、筒状部２６ａから半径方向内側に延ばされた環状面部２６ｂからなっている。
筒状壁部２６には、樹脂部２７を介して点火器３０が取り付けられている。点火器３０は、着火部３１と導電ピン３２を有している。
筒状壁部２６の外径と樹脂部２７の外径は同一であり、筒状壁部２６と樹脂部２７は全体として一つの円柱形状になっている。【００３１】
ハウジング１０内には、上部周壁部１３のガス排出口１５と空間１７をおいて筒状フィルタ３５が配置されている。
筒状フィルタ３５は、上端面３５ａが天板１２に当接され、下端面３５ｂが底板２２に当接されている。【００３２】
筒状壁部２６と樹脂部２７には、外側からカップ形状の点火手段室ハウジング４０が嵌め込まれている。点火手段室ハウジング４０は、筒状壁部２６（筒状部２６ａ）に圧入されている。なお、樹脂部２７を筒状部２６ａよりもわずかに外側に突出させて、点火手段室ハウジングをその突出した部分と圧入させてもよい。
点火手段室ハウジング４０はカップ形状のものであり、底面部４１と周面部（点火手段室周面部）４２を有しており、開口部側にフランジ部４３を有している。
周面部４２には、周方向に等間隔をおいて貫通孔４２ａが形成されている。貫通孔４２ａはアルミニウム製などのシールテープで閉塞されていることが好ましい。
点火手段室ハウジング４０は、底面部４１が周面部４２とは別部材の蓋で閉塞された構造のものでもよい。
点火手段室ハウジング４０の空間内が点火手段室４４となり、内部には、伝火薬として機能する第１ガス発生剤４５が充填されている。
フランジ部４３（周面部４２とフランジ部４３の境界部も含む）は、筒状壁部２６（筒状部２６ａ）と底板２２の両方に当接されている。フランジ部４３はハウジング底板２２に沿った方向（放射方向）に延びている。フランジ部４３放射方向への長さは、筒状フィルタ３５の内周面３５ｃとカップ形状の点火手段室ハウジング４０の周面部４２間の距離の1/3から4/5の長さにするが、図１では1/3の長さになっている。【００３３】
筒状フィルタ３５と点火手段室ハウジング４０により半径方向両側から挟まれた空間が燃焼室５０となり、公知の第２ガス発生剤５１が充填されている。【００３４】
筒状フィルタ３５と点火手段室ハウジング４０の間には、さらに環状リテーナ５５が配置されている。
環状リテーナ５５は、環状ベース部５６と、環状ベース部５６の外周縁から天板１２側に向かって延在する環状壁部５７を有している。
環状リテーナ５５は、図１（ｂ）に示す環状ベース部５６の幅Ｗ１（環状ベース部５６の内周縁部５６ａから環状壁部５７の外周面までの距離）と環状壁部５７の高さＨ１（環状壁部５７の上端部から、環状ベース部５６の下面までの距離）がＷ１＞Ｈ１の関係を有している。
底板２２の筒状壁部２６（筒状部２６ａ）の外周面から筒状フィルタ３５の内周面３５ｃまでの幅Ｗと前記Ｗ１が、Ｗ１／Ｗ＝０．１〜０．７の関係を有しているものが好ましい。筒状部２６ａの軸Ｘ方向の高さは、カップ形状の点火手段室ハウジング４０の底面部４１とリテーナ６０（リテーナ６０が存在しない場合は、ハウジング天板１２）との間の距離よりも十分に長くなっている。またこの距離はカップ形状の点火手段室ハウジング４０の底面部４１とリテーナ６０（リテーナ６０が存在しない場合は、ハウジング天板１２）との間にガス発生剤５１が入り込まない程度とすることが出来る。
環状リテーナ５５は、環状壁部５７が筒状フィルタ３５の内周面３５ｃに当接され、環状ベース部５６がハウジング底板２２に当接されており、環状ベース部５６の内周縁部５６ａと点火手段室ハウジング４０のフランジ部４３の先端周縁部（フランジ部外周縁）４３ａは、厚さ方向に重ねられていない。環状ベース部５６の内周縁部５６ａと点火手段室ハウジング４０のフランジ部４３の先端周縁部４３ａの間には、隙間があることが好ましい。
環状リテーナ５５は、ハウジング底板２２と筒状フィルタの下端面３５ｂとの間から燃焼ガスがショートパスすることを防止するためのものである。
なお、ハウジング天板１２と筒状フィルタの上端面３５ａとの間から燃焼ガスがショートパスすることを防止するため、天板１２側にもリテーナ６０を配置することができる。【００３５】
次に、図１に示すガス発生器１の動作を説明する。
点火器３０が作動すると、点火手段室４４内の第１ガス発生剤４５が着火燃焼され、燃焼ガスを発生させる。
点火手段室４４内の燃焼ガスは複数の貫通孔４２ａから燃焼室５０内に放出され、第２ガス発生剤５１を着火燃焼させて燃焼ガスを発生させる。
燃焼室５０内の燃焼ガスは筒状フィルタ３５を通って空間１７に入ったあと、シールテープ１６を開裂させてガス排出口１５から排出される。【００３６】
上記の動作過程において、先に点火手段室４４の圧力が上昇する。点火手段室ハウジング４０は、筒状壁部２６に対して嵌め込まれており、溶接固定されていないため、天板１２方向にスライドしようとする。また貫通孔４２ａから燃焼生成物が燃焼室５０に流れてガス発生剤５１が燃焼し、燃焼室５０内の圧力が上昇したとき、天板１２と底板２２のそれぞれが軸Ｘの反対側方向に変形する。
このとき、図２に示すように点火手段室ハウジング４０も天板１２方向に移動することになる。ただし、筒状部２６の長さは点火手段室ハウジング４０の移動距離よりも長くなるように形成されており、点火手段室ハウジング４０が筒状壁部２６から外れることはない。
作動前においてフランジ部４３の上に環状リテーナ５５（環状ベース部５６）が重ねられた状態であるとき、図２の状態になると、フランジ部４３によって環状ベース部５６が持ち上げられてしまい、ハウジング底板２２と筒状フィルタの下端面３５ｂとの間から燃焼ガスがショートパスするおそれがある。
しかし、図１に示すガス発生器１は、環状ベース部５６とフランジ部４３が厚さ方向に重ねられていないため、図２に示す状態になることから、ハウジング底板２２と筒状フィルタの下端面３５ｂとの間から燃焼ガスがショートパスすることが防止できる。また燃焼室で発生した圧力は点火手段室ハウジングの底面部４１にもはたらくので、フランジ部４３が燃焼室で発生する圧力に対しての受圧面となる。とくにフランジ部４３は受圧面として十分な面積を有しており、燃焼室５０で発生した圧力がフランジ部４３に作用して、点火手段室ハウジング４０を底板２２方向に押し戻そうとする機構がはたらく。よって相対的に点火手段室ハウジング４０の変位を抑制することが出来る。【００３７】
環状リテーナ５５が上記したＷ１＞Ｈ１の関係を有しており、さらにＷ１／Ｗ＝０．１〜０．７の関係を有しているものであると、燃焼室５０内の圧力が上昇したとき、環状ベース部５６が底板２２に押しつけられ易くなるため、環状ベース部５６が底板２２の変形に追随して変形し易くなっている。 
このため、上記したショートパス防止効果がより高められるので好ましい。【００３８】
（２）図３のガス発生器
図３（ａ）に示すガス発生器１は、図１（ａ）に示すガス発生器１において環状プレート６５を追加したもので、他は図１（ａ）に示すガス発生器１と同一のものである。
環状リテーナ５５の環状ベース部５６と点火手段室ハウジング４０のフランジ部４３の間の環状境界部分を覆う位置に環状プレート６５が配置されている。
環状プレート６５は、環状ベース部５６とフランジ部４３の両方に当接されている。
環状プレート６５の外周部６６は、環状リテーナ５５の環状壁部５７に当接されているか、または近接された位置にある。【００３９】
環状プレート６５は、組み立て時には環状ベース部５６を固定するように機能すると共に、組み立て後は、燃焼室５０の底板２２側を平らにするようにも機能する。
また作動時には図１（ａ）のガス発生器１と同様に動作するが、図２に対応する図３（ｂ）の状態のとき、燃焼室５０内の圧力上昇を受けて環状プレート６５が環状リテーナ５５を押しつけるように変形することから、ショートパス防止効果が高められる。【００４０】
（３）図４のガス発生器
図４のガス発生器１Ａは、図１（ａ）のガス発生器１とは一部が異なるだけである。以下においては、図１（ａ）のガス発生器１と異なる部分を説明する。【００４１】
ハウジング底板２２は、筒状フィルタ３５の内周面３５ｃから筒状壁部２６（筒状部２６ａ）の間において、筒状フィルタ３５の内周面３５ｃ側に環状凹部７０を有しており、筒状壁部２６（筒状部２６ａ）側は、環状凹部７０との高低差から形成された環状凸部７１を有している。
環状凹部７０と環状凸部７１は、底板２２の厚さを異ならせることにより形成されたものであるが、本来の底板２２の厚さを薄くすることで環状凹部７０が形成されたものが好ましい。
環状凹部７０と環状凸部７１の段差寸法は、環状ベース部５６の厚さと同等であればよい。【００４２】
環状凹部７０内には、環状リテーナ５５の環状ベース部５６と、環状壁部５７と環状ベース部５６の境界部分が嵌め込まれている。
環状凸部７１上には、点火手段室ハウジング４０のフランジ部４３が当接されている。フランジ部４３の幅は、環状凸部７１の幅以下である。
図４（ａ）のガス発生器１Ａは、環状凹部７０と環状凸部７１を有しているため、環状ベース部５６の内周縁部５６ａとフランジ部４３の先端周縁部４３ａが厚さ方向に重ねられていない。
このため、図１（ａ）のガス発生器１と同様に動作することができる。【００４３】
（４）図５のガス発生器
図５のガス発生器１Ｂは、図１（ａ）のガス発生器１とは一部が異なるだけである。以下においては、図１（ａ）のガス発生器１と異なる部分を説明する。【００４４】
底板２２は、筒状フィルタ３５から半径方向内側の位置に環状凸部７５を有している。
環状リテーナ５５は、環状壁部５７が筒状フィルタ３５の内周面３５ｃに当接され、環状ベース部５６がハウジング底板２２に当接され、環状ベース部５６の内周縁部５６ａが環状凸部７５に当接されている。
点火手段室ハウジング４０のフランジ部４３は、環状凸部７５から半径方向内側に位置している。フランジ部４３の先端周縁部４３ａは、環状凸部７５に当接されていない。
環状凸部７５の底板２２からの高さは、環状ベース部５６とフランジ部４３の厚さと同等の高さである。
図５のガス発生器１Ｂは、環状凸部７５を有しているため、環状ベース部５６の内周縁部５６ａとフランジ部４３の先端周縁部４３ａが厚さ方向に重ねられていない。
このため、図１（ａ）のガス発生器１と同様に動作することができる。【００４５】
（５）図６のガス発生器
図６のガス発生器１Ｃは、図１（ａ）のガス発生器１とは一部が異なるだけである。以下においては、図１（ａ）のガス発生器１と異なる部分を説明する。【００４６】
フランジ部４３は、筒状壁部２６（筒状部２６ａ）に当接されている。
環状リテーナ５５は、環状壁部５７が筒状フィルタ３５の内周面３５ｃに当接され、環状ベース部５６が底板２２に当接されている。
図１（ａ）とは異なり、フランジ部４３と環状ベース部５６は、それぞれの幅の一方または両方の寸法を調節することで、環状ベース部５６（内周縁部５６ａ）が底板２２側になり、フランジ部４３（先端周縁部４３ａ）が天板１２側になるように重ねられている。
フランジ部４３と環状ベース部５６の上下の位置関係が維持されていれば、前記の重なり部分の長さは特に制限されない。
図６に示すガス発生器１Ｃが図１（ａ）に示すガス発生器１と同様に動作して図２の状態になったときでも、フランジ部４３によって環状ベース部５６が持ち上げられることはなく、ハウジング底板１２と筒状フィルタの下端面３５ｂとの間から燃焼ガスがショートパスすることが防止される。【００４７】
環状リテーナ５５が上記したＷ１＞Ｈ１の関係を有しており、さらにＷ１／Ｗ＝０．１〜０．７の関係を有しているものであると、燃焼室５０内の圧力が上昇したとき、環状ベース部５６が底板２２に押しつけられ易くなるため、環状ベース部５６が底板２２の変形に追随して変形し易くなっている。
このため、上記したショートパス防止効果がより高められるので好ましい。
また図の６の実施例でも、点火手段室ハウジング４０のフランジ部４３はハウジング底板２２（図６では環状ベース部５６）に沿った方向（放射方向）に延びる。フランジ部４３の放射方向への長さは、筒状フィルタ３５の内周面３５ｃとカップ形状の点火手段室ハウジング４０の周面部４２間の距離の1/3から4/5の長さにするが、図３では1/3の長さである。燃焼室で発生した圧力が受圧面となるフランジ部４３に作用して、点火手段室ハウジング４０を底板２２方向に押し戻そうとする。【００４８】
本発明を以上のように記載した。当然、本発明は様々な形の変形をその範囲に含み、これら変形は本発明の範囲からの逸脱ではない。また当該技術分野における通常の知識を有する者が明らかに本発明の変形とみなすであろうすべては、以下に記載する請求項の範囲にある。
【図１】
2017130735.tif 000003
【図２】
2017130735.tif 000004
【図３】
2017130735.tif 000005
【図４】
2017130735.tif 000006
【図５】
2017130735.tif 000007
【図６】
2017130735.tif 000008
【国際調査報告】
2017130735.tif 000009
2017130735.tif 000010
2017130735.tif 000011